(57)【要約】【課題】負荷が給電線から非接触で電力の供給を受ける際の利便性を高める。【解決手段】家屋の壁面１に沿って給電線３を配置する。この給電線３との間の電磁誘導作用により電力を取り込むピックアップコイル７ｂを備えるピックアップ７を、給電線３に沿って移動可能に設ける。ピックアップ７には、負荷接続用のコンセント５を設け、このコンセント５に例えばヘアドライヤなどの負荷を接続して使用する。【選択図】図１
2010279198.tif 000002
【特許請求の範囲】
【請求項１】
建造物の表面に沿って給電線を配置し、この給電線との間の電磁誘導作用により電力を取り込むピックアップコイルを備えるピックアップを、前記給電線に沿って移動可能に設け、前記ピックアップに負荷接続用のコンセントを設けたことを特徴とする給電装置。
【請求項２】
前記給電線には直流電流が供給されていることを特徴とする請求項１に記載の給電装置。
【請求項３】
前記給電線を、前記建造物の表面に設けた溝内に収容し、この溝に前記ピックアップ側に設けた係合部を係合保持させて該ピックアップを前記溝に沿って移動可能としたことを特徴とする請求項１または２に記載の給電装置。
【請求項４】
前記給電線をフラット形状として前記建造物の表面に取り付け、前記給電線の近傍の前建造物の表面に、前記ピックアップに設けた取付部が着脱可能に取り付けられる脱着部を、前記給電線に沿って設けたことを特徴とする請求項１または２に記載の給電装置。
【発明の詳細な説明】
【技術分野】
【０００１】
本発明は、給電線から非接触で電流を取り込む給電装置に関する。
【背景技術】
【０００２】
給電線から非接触で電力を取り込む給電装置としては、例えば下記特許文献１に記載されたものが知られている。これは、給電線として機能する商用電源線に誘導コイルを備えるコンセントを接続し、該コンセントに被誘導コイル及びコンセント部を備えるアダプタを着脱可能としている。そして、このアダプタのコンセント部に負荷の電源プラグを接続して使用する。
【先行技術文献】
【特許文献】
【０００３】
【特許文献１】特開平１０−２０８８０４号公報
【発明の概要】
【発明が解決しようとする課題】
【０００４】
ところで、上記した従来の給電装置では、コンセント部を有するアダプタが装着されるコンセントが、地面などの取付対象物に対して固定であって移動不能であり、したがってアダプタを介して接続する負荷としては、使用位置が限定されるものとなり、利用自由度を高めるためには負荷に接続される配線を長くする必要があって、利便性の低下を招くものとなる。
【０００５】
そこで、本発明は、負荷が給電線から非接触で電力の供給を受ける際の利便性を高めることを目的としている。
【課題を解決するための手段】
【０００６】
請求項１の発明は、建造物の表面に沿って給電線を配置し、この給電線との間の電磁誘導作用により電力を取り込むピックアップコイルを備えるピックアップを、前記給電線に沿って移動可能に設け、前記ピックアップに負荷接続用のコンセントを設けたことを特徴とする。
【０００７】
請求項２の発明は、請求項１に記載の給電装置であって、前記給電線には直流電流が供給されていることを特徴とする。
【０００８】
請求項３の発明は、請求項１または２に記載の給電装置であって、前記給電線を、前記建造物の表面に設けた溝内に収容し、この溝に前記ピックアップ側に設けた係合部を係合保持させて該ピックアップを前記溝に沿って移動可能としたことを特徴とする。
【０００９】
請求項４の発明は、請求項１または２に記載の給電装置であって、前記給電線をフラット形状として前記建造物の表面に取り付け、前記給電線の近傍の前建造物の表面に、前記ピックアップに設けた取付部が着脱可能に取り付けられる脱着部を、前記給電線に沿って設けたことを特徴とする。
【発明の効果】
【００１０】
請求項１の発明によれば、ピックアップのコンセントに接続して使用する負荷を、給電線の配線位置に沿って適宜移動させて使用することができ、負荷が給電線から電力の供給を受ける際の利便性を高めることができる。
【００１１】
請求項２の発明によれば、給電線から負荷に電力を供給する際に、交流から直流への電力変換が不要となり、省エネルギで電力の供給を行うことができる。
【００１２】
請求項３の発明によれば、ピックアップを溝に沿って移動させることで、ピックアップのコンセントに接続して使用する負荷を、溝に沿った適宜位置にて利用することができる。
【００１３】
請求項４の発明によれば、建造物の表面を加工することなく、ピックアップを給電線に沿った適宜位置に移動させて取り付けることができる。
【図面の簡単な説明】
【００１４】
【図１】本発明の概要を示す正面図である。
【図２】本発明の概要を示す斜視図である。
【図３】本発明をより具体化した第１の実施形態を示す、図１のＡ−Ａ断面図である。
【図４】第２の実施形態を示す、図３に対応する断面図である。
【図５】第２の実施形態の給電線を設けた壁面の一部を示す斜視図である。
【発明を実施するための形態】
【００１５】
以下、本発明の実施の形態を図面に基づき説明する。
【００１６】
［発明の概要］
図１に示すように、家屋の室内に露出する面である壁面１に沿って給電線３を配置し、この給電線３に沿って負荷接続用のコンセント５を備えるピックアップ７を移動可能に設けている。なお、上記した家屋の室内に露出する面である壁面１は建造物の表面を構成している。
【００１７】
上記した給電線３は絶縁被覆してあり、図示しない高周波直流電源が接続されて直流電流が供給されている。一方、ピックアップ７は、図２に示すように、ピックアップコア７ａに、給電線３との間の電磁誘導作用により電力を取り込むピックアップコイル７ｂを巻き付けてある。取り込んだ電力は、ピックアップ７のコンセント５に、図示しない例えばヘヤドライヤなどの電気製品からなる負荷９を接続して使用される。
【００１８】
［第１の実施形態］
次に、上記した発明の概要をより具体化した第１の実施形態を図３に示す。壁面１に沿って図３中で紙面に直交する方向に溝１１を設け、この溝１１内に給電線３を収容配置している。ピックアップ７は、コンセント５を内蔵するコンセントボックス１３の先端に取り付けた状態で、給電線３を囲むようにして溝１１内に位置している。
【００１９】
コンセントボックス１３は、ピックアップコア７ａの図３中で上下両側に位置する係合部としての係合爪１３ａを備えており、この係合爪１３ａを、溝１１の開口側に形成してある壁面１の突起１４に係合する。突起１４は、溝１１と同様に図３中で紙面に直交する方向に延設してあり、上記係合状態でピックアップ７は、コンセントボックス１３とともに、溝１１に沿って図３中で紙面に直交する方向に移動可能である。
【００２０】
なお、係合爪１３ａの突起１４に対する係合状態は、コンセントボックス１３が壁面１に対して容易に移動可能となるように比較的緩いものとする。
【００２１】
したがって、本実施形態によれば、コンセントボックス１３を図３のように壁面１に取り付けた状態で、該コンセントボックス１３を掴んで壁面１の溝１１に沿って移動させることで、コンセント５を、負荷９の使用したい位置に適宜配置することができる。このため、負荷９の利用自由度が高まり、負荷９が給電線３から電力の供給を受ける際の利便性を高めることができる。
【００２２】
また、本実施形態では、給電線３に直流電流を供給しているので、給電線３から負荷９に電力を供給する際に、交流から直流への電力変換が不要となり、省エネルギで電力の供給を行うことができる。
【００２３】
［第２の実施形態］
第２の実施形態は、図４に示すように、給電線３Ａをフラット形状として壁面１の表面に接着剤などを用いて貼り付けている。ピックアップ７は、コンセント５を内蔵するコンセントボックス１３Ａに取り付けた状態で、給電線３Ａを囲むように配置している。
【００２４】
ここでのコンセントボックス１３Ａは、ピックアップ７の図４中で上下両側の壁面１に向けて突出する突出部１３Ａａを備え、この突出部１３Ａａの先端を面ファスナ１５（登録商標名：マジックテープ）によって壁面１に着脱可能に取り付けている。
【００２５】
面ファスナ１５は、図５に示すように、給電線３Ａの両側近傍の壁面１にて給電線３Ａに沿って脱着部としての例えばフック面１５ａを取り付ける一方、突出部１３Ａａの先端には取付部としてのループ面１５ｂを取り付ける。
【００２６】
これにより、本実施形態においても、コンセントボックス１３Ａを掴んだ状態で壁面１の給電線３Ａに沿った適宜位置にて、面ファスナ１５によりコンセントボックス１３Ａを壁面１に取り付けることができる。この結果、コンセント５を、負荷９の使用したい位置に適宜配置することができることになり、負荷９の利用自由度が高まり、負荷９が給電線３から電力の供給を受ける際の利便性を高めることができる。
【００２７】
また、本実施形態では、面ファスナ１５によってコンセントボックス１３Ａを壁面１に取り付けるようにしているので、壁面１を傷付けたり加工することなく、ピックアップ７を給電線３Ａに沿って移動させる構成とすることができる。
【００２８】
なお、給電線３，３Ａは、上記した各実施形態のように家屋の壁面１だけでなく、床面や天井面あるいは、外壁に沿って配置してもよい。また、コンセントボックス１３Ａを壁面１に対して容易に着脱できるものであれば、面ファスナ１５に代わるものでもよい。
【００２９】
また、前記した第１の実施形態や第２の実施形態とは別に、前記図４に示した面ファスナ１５のフック面１５ａのように、ガイドレールを給電線３Ａに沿って壁面１に取り付け、このガイドレールに対してスライド移動可能に係合する係合部を、前記した面ファスナ１５のループ面１５ｂのように、コンセントボックス１３Ａの突出部１３Ａａの先端に取り付けてもよい。
【符号の説明】
【００３０】
１  壁面（建造物の表面）
３，３Ａ  給電線
５  負荷接続用のコンセント
７  ピックアップ
７ｂ  ピックアップコイル
９  負荷
１１  壁面の溝
１３ａ  係合爪（係合部）
１５ａ  面ファスナのフック面（脱着部）
１５ｂ  面ファスナのループ面（取付部）
【図１】
2010279198.tif 000003
【図２】
2010279198.tif 000004
【図３】
2010279198.tif 000005
【図４】
2010279198.tif 000006
【図５】
2010279198.tif 000007